(57)【要約】【課題】  簡単な構造で、組立て作業性が良く、発光素子を安定した状態で確実に固定できると共に、発光素子で発光した光が隣接する鍵に漏れるのを抑制できる鍵盤装置を提供する。【解決手段】  鍵盤シャーシ６に複数の発光素子３２を組み付ける際に、複数の発光素子３２を第１基板２５の各突起部３１に取り付け、この第１基板２５を基板取付部材２４の取付部２８に取り付け、この基板取付部材２４の固定部２７を鍵盤シャーシ６に取り付けることにより、第１基板２５を起立させて取り付けることができると共に、複数の白鍵７ａの各内部にそれぞれ非接触状態で挿入した第１基板２５の複数の突起部３１に、それぞれ発光素子３２を起立させずに設けることができる。従って、構造が簡単で、組立て作業性が良く、発光素子３２を安定した状態で確実に固定することができると共に、発光素子３２で発光した光が隣接する白鍵７ａに漏れるのを抑制することができる。【選択図】        図４
2011128506.tif 000002
【特許請求の範囲】
【請求項１】
鍵盤シャーシと、
この鍵盤シャーシ上に配列されて上下方向に回転可能に設けられた光透過性を有する複数の鍵と、
前記鍵盤シャーシ上に取り付けられる固定部、前記鍵の下側に向けて起立する取付部、およびこの取付部を前記固定部に連結する連結部を有する基板取付部材と、
この基板取付部材の前記取付部に取り付けられ、前記複数の鍵の各内部にそれぞれ非接触状態で挿入する複数の突起部を有する基板と、
この基板の前記複数の突起部にそれぞれ設けられ、前記複数の鍵の各内部にそれぞれ光を照射する複数の発光素子と
を備えていることを特徴とする鍵盤装置。
【請求項２】
前記発光素子は、ほぼ直方体のチップ形状に形成され、その一側面である上面から光を発光する側面発光ダイオードであることを特徴とする請求項１に記載の鍵盤装置。
【請求項３】
前記基板取付部材における前記連結部は、前記固定部に対する前記取付部の傾き角度が調整可能に形成されていることを特徴とする請求項１または請求項２に記載の鍵盤装置。
【請求項４】
前記固定部に対する前記取付部の傾き角度を規制する複数種類の角度規制部材を備えていることを特徴とする請求項１〜請求項３のいずれかに記載の鍵盤装置。
【発明の詳細な説明】
【技術分野】
【０００１】
この発明は、電子ピアノなどの鍵盤楽器に用いられる鍵盤装置に関し、更に詳しくは演奏に応じて各鍵が順次発光する鍵盤装置に関する。
【背景技術】
【０００２】
従来、電子ピアノなどの鍵盤楽器においては、特許文献１に記載されているように、鍵盤シャーシ上に複数の鍵を配列させて上下方向に回転可能に設けると共に、この鍵盤シャーシ上に各鍵の内部に光を照射させるための複数の発光素子を設け、この複数の鍵を順次押鍵操作して演奏する際、その演奏に応じて複数の発光素子を順次発光させることにより、演奏に応じて押鍵すべき鍵を光らせて指示するナビゲーション機能を備えたものが知られている。
【先行技術文献】
【特許文献】
【０００３】
【特許文献１】特開２００１−３４２６８号公報
【発明の概要】
【発明が解決しようとする課題】
【０００４】
しかしながら、このような従来の鍵盤楽器では、複数の発光素子を鍵盤シャーシに組み付けるために、鍵盤シャーシ上に基板を鍵の配列方向に沿って水平に配置し、この基板上に複数の発光素子の各リード線をそれぞれ接続させて、複数の発光素子を基板上に起立させた状態で取り付けているので、各発光素子が不安定な状態になるばかりか、各発光素子で発光した光が隣接する鍵に漏れ易いという問題がある。
【０００５】
そこで、このような問題を解消するために、基板上に保持部材を起立させて設け、この保持部材で複数の発光素子をそれぞれ保持するように構成したものが考えられている。しかし、このような構成では、保持部材によって複数の発光素子を安定した状態で保持すると共に、この保持部材によって複数の発光素子の光が隣接する鍵に漏れ難くすることができても、保持部材の構造が複雑になるほか、基板に保持部材を強固に設けなければならないため、組立て作業が煩雑で面倒になるという問題がある。
【０００６】
この発明が解決しようとする課題は、簡単な構造で、組立て作業性が良く、発光素子を安定した状態で確実に固定することができると共に、発光素子で発光した光が隣接する鍵に漏れるのを抑制することができる鍵盤装置を提供することである。
【課題を解決するための手段】
【０００７】
この発明は、上記課題を解決するために、次のような構成要素を備えている。
請求項１に記載の発明は、鍵盤シャーシと、この鍵盤シャーシ上に配列されて上下方向に回転可能に設けられた光透過性を有する複数の鍵と、前記鍵盤シャーシ上に取り付けられる固定部、前記鍵の下側に向けて起立する取付部、およびこの取付部を前記固定部に連結する連結部を有する基板取付部材と、この基板取付部材の前記取付部に取り付けられ、前記複数の鍵の各内部にそれぞれ非接触状態で挿入する複数の突起部を有する基板と、この基板の前記複数の突起部にそれぞれ設けられ、前記複数の鍵の各内部にそれぞれ光を照射する複数の発光素子とを備えていることを特徴とする鍵盤装置である。
【０００８】
請求項２に記載の発明は、前記発光素子が、ほぼ直方体のチップ形状に形成され、その一側面である上面から光を発光する側面発光ダイオードであることを特徴とする請求項１に記載の鍵盤装置である。
【０００９】
請求項３に記載の発明は、前記基板取付部材における前記連結部が、前記固定部に対する前記取付部の傾き角度が調整可能に形成されていることを特徴とする請求項１または請求項２に記載の鍵盤装置である。
【００１０】
請求項４に記載の発明は、前記固定部に対する前記取付部の傾き角度を規制する角度規制部材を備えていることを特徴とする請求項１〜請求項３のいずれかに記載の鍵盤装置である。
【発明の効果】
【００１１】
この発明によれば、鍵盤シャーシに複数の発光素子を組み付ける際に、複数の発光素子をそれぞれ基板の各突起部に取り付け、この基板を基板取付部材の取付部に取り付けると共に、この基板取付部材の固定部を鍵盤シャーシに取り付けることにより、基板を鍵盤シャーシ上に起立させた状態で取り付けることができると共に、基板の複数の突起部を複数の鍵の各内部にそれぞれ非接触状態で挿入させることにより、この挿入した複数の突起部にそれぞれ発光素子を起立させずに設けることができる。
【００１２】
このため、構造が簡単で、組立て作業が容易にでき、量産化を図ることができるほか、鍵の内部に挿入する基板の突起部によって発光素子を安定した状態で確実に且つ良好に固定することができ、これにより落下などの衝撃を受けても、発光素子を搭載した基板が外れることがなく、耐衝撃性を確保することができる。また、基板の突起部によって発光素子を鍵の下側に正確に且つ良好に配置させることができ、これにより発光素子で発光した光が隣接する鍵に漏れるのを抑制することができる。
【図面の簡単な説明】
【００１３】
【図１】この発明を適用した鍵盤楽器の実施形態１を示した平面図である。
【図２】図１のＡ−Ａ矢視における要部を示した拡大断面図である。
【図３】図１のＢ−Ｂ矢視における要部を示した拡大断面図である。
【図４】図２のＡ部を示した要部の拡大断面図である。
【図５】図４を上方から見た要部の拡大平面図である。
【図６】図２のＢ部を示した要部の拡大断面図である。
【図７】図６を上方から見た要部の拡大平面図である。
【図８】図２における基板取付部材の取付部の傾き角度がほぼ８０度の場合における光の照射状態を示した拡大断面図である。
【図９】図２における基板取付部材の取付部の傾き角度がほぼ６０度の場合における光の照射状態を示した拡大断面図である。
【図１０】図２における基板取付部材の取付部の傾き角度がほぼ９０度の場合における光の照射状態を示した拡大断面図である。
【図１１】この発明を適用した鍵盤楽器の実施形態２において要部を示した拡大断面図である。
【図１２】図１１を上方から見た要部の拡大平面部である。
【発明を実施するための形態】
【００１４】
（実施形態１）
以下、図１〜図１０を参照して、この発明を適用した鍵盤楽器の実施形態１について説明する。
この鍵盤楽器は、図１に示すように、楽器本体１を備えている。この楽器本体１の手前側（図１では下部側）には、鍵盤部２が設けられており、この楽器本体１における鍵盤部２の後部側（図１では上部側）には、スピーカ部３、表示部４、およびスイッチ部５が設けられている。
【００１５】
スピーカ部３は、楽音を発音するためのものであり、図１に示すように、鍵盤部２の後部側（図１では上部側）に位置する楽器本体１の両側に設けられている。表示部４は、楽音情報を表示するものであり、鍵盤部２の後部側に位置する楽器本体１の中間部に設けられている。スイッチ部５は、音量調整や音色選択などの各種のスイッチを備え、鍵盤部２の後部側に位置する楽器本体１における両側のスピーカ部３の間に表示部４を除いて分散して設けられている。
【００１６】
ところで、鍵盤部２は、図１〜図４に示すように、下部ケースを兼ねる鍵盤シャーシ６上に白鍵７ａおよび黒鍵７ｂからなる多数の鍵７が配列されている。鍵盤シャーシ６は、図２に示すように、その前部側（図２では左側部）に白鍵７ａの前端部における下部側を覆う前カバー部８が形成されている。この前カバー部８の後側下部（図２では右側下部）には、白鍵７ａの下限位置を規制するためのフェルトなどからなる白鍵ストッパ部９が設けられている。
【００１７】
この白鍵ストッパ部９の後部（図２では右側部）には、図２に示すように、白鍵７ａの内部に挿入して白鍵７ａの横振れを防ぐための白鍵ガイド部１０が上方に突出して設けられている。この白鍵ガイド部１０の後部には、後述する白鍵用の第１基板搭載部１１が設けられている。この第１基板搭載部１１の後方には、黒鍵７ｂの下限位置を規制するためのフェルトなどからなる黒鍵ストッパ部１２が設けられている。
【００１８】
この黒鍵ストッパ部１２の後部（図２では右側部）には、図２に示すように、後述する黒鍵用の第２基板搭載部１３が上方に突出して設けられている。この黒鍵用の第２基板搭載部１３における前側（図２では左側）の上部下面には、白鍵７ａおよび黒鍵７ｂの各上限位置を規制するためのフェルトなどからなる上限ストッパ部１４が設けられている。また、この黒鍵用の第２基板搭載部１３の下端部および黒鍵ストッパ部１２の下端部には、その両者に亘って底蓋１３ａがビス１３ｂによって開閉可能に取り付けられている。
【００１９】
また、この黒鍵用の第２基板搭載部１３の後部（図２では右側部）には、図２に示すように、黒鍵７ｂの内部に挿入して黒鍵７ｂの横振れを防ぐための黒鍵ガイド部１５が上方に突出して設けられている。この黒鍵ガイド部１５の後端下部には、スイッチ基板１６が設けられている。さらに、鍵盤シャーシ６の後端部には、各鍵７の後端部（図２では右端部）を支持する鍵支持部１７が上方に突出して設けられている。
【００２０】
一方、複数の鍵７のうち、複数の白鍵７ａは、それぞれ光透過性を有する白色の合成樹脂からなり、図２および図３に示すように、その内部が中空状に形成されている。この白鍵７ａは、図２に示すように、その後端部（図２では右端部）に複数の白鍵７ａの配列方向（図２では紙面の表裏面方向）に沿って各白鍵７ａを順次連結する共通連結部１８が形成されていると共に、この共通連結部１８に各白鍵７ａをそれぞれ上下方向に回転変位させるための薄肉形状の屈曲部１９が撓み変形可能に形成された構成になっている。
【００２１】
また、複数の黒鍵７ｂも、白鍵７ａと同様、それぞれ光透過性を有する黒色の合成樹脂からなり、図２および図３に示すように、その内部が中空状に形成されている。この黒鍵７ｂも、図２に示すように、その後端部（図２では右端部）に複数の黒鍵７ｂの配列方向に沿って各黒鍵７ｂを順次連結する共通連結部２０が形成されていると共に、この共通連結部２０に各黒鍵７ｂをそれぞれ上下方向に回転変位させるための薄肉形状の屈曲部２１が撓み変形可能に形成された構成になっている。
【００２２】
これにより、複数の鍵７は、図２に示すように、白鍵７ａの共通連結部１８を黒鍵７ｂの共通連結部２０上に重ね合わせ、この状態で両者の共通連結部１８、２０を鍵盤シャーシ６の後端部に設けられた鍵支持部１７上に取り付けることにより、複数の白鍵７ａおよび複数の黒鍵７ｂが鍵盤シャーシ６上に配列された状態で、上下方向に回転可能に取り付けられている。
【００２３】
このため、複数の鍵７は、複数の白鍵７ａがそれぞれ押鍵された際に、複数の白鍵７ａが各屈曲部１９の撓み変形によってそれぞれ上下方向に回転変位すると共に、複数の黒鍵７ｂがそれぞれ押鍵された際に、複数の黒鍵７ｂが各屈曲部２１の撓み変形によってそれぞれ上下方向に回転変位するように構成されている。
【００２４】
また、これら白鍵７ａおよび黒鍵７ｂには、図２に示すように、それぞれスイッチ押圧部２２がスイッチ基板１６上の各ゴムスイッチ２３に対応して設けられている。このスイッチ押圧部２２は、白鍵７ａおよび黒鍵７ｂが押鍵された際に、スイッチ基板１６上に設けられた各ゴムスイッチ２３を押圧するように構成されている。
【００２５】
この場合、ゴムスイッチ２３は、図２に示すように、白鍵７ａおよび黒鍵７ｂの各スイッチ押圧部２２に対応してそれぞれ設けられている。このゴムスイッチ２３は、ゴムシートにドーム状の膨出部を形成してスイッチ基板１６上に配置され、この状態で膨出部が押圧されると、ドーム状の膨出部が弾性変形し、その内部に設けられた可動接点がスイッチ基板１６上に設けられた固定接点に接触することにより、押鍵操作に応じてスイッチ信号を出力するように構成されている。
【００２６】
ところで、鍵盤シャーシ６の第１基板搭載部１１には、図４および図５に示すように、基板取付部材２４が取り付けられている。この基板取付部材２４は、アルミニウムなどの金属または硬質の合成樹脂によって形成されており、この基板取付部材２４には、白鍵用の第１基板２５が白鍵７ａの後側（図４では右側）に向けて少し傾いた状態で起立して取り付けられている。
【００２７】
この基板取付部材２４は、図４に示すように、鍵盤シャーシ６上にビス２６によって取り付けられる固定部２７と、白鍵７ａの下側に向けて起立する取付部２８と、この取付部２８を固定部２７の前端部（図４左端部）に連結固定する連結部２９とを備え、これらが一体に形成されている。この場合、固定部２７および取付部２８は、図３〜図５に示すように、白鍵７ａの配列方向に沿って細長く形成されている。
【００２８】
また、取付部２８は、図４に示すように、連結部２９によって固定部２７に対して所定角度（例えばほぼ８０度）だけ、白鍵７ａの後方（図４では右側）に向けて傾いた状態で固定されている。この傾いた取付部２８の前面（図４では左側面）には、第１基板２５がビス３０によって取り付けられている。このビス３０は、固定部２７を固定するビス２６に対して白鍵７ａの配列方向に位置がずれた状態で取り付けられるように構成されている。
【００２９】
また、この第１基板２５は、図３〜図５に示すように、白鍵７ａの配列方向に沿って細長く形成され、図示しない配線接続シートなどの接続部材によって楽器全体を制御するための回路基板と電気的に接続されている。この第１基板２５の上部には、図３に示すように、各白鍵７ａの内部にそれぞれ非接触状態で挿入する複数の突起部３１が形成されている。この複数の突起部３１の各上部前面（図４では左側面）には、各白鍵７ａの前側内部に光を照射する白鍵用の発光素子３２がそれぞれ設けられている。
【００３０】
一方、鍵盤シャーシ６の第２基板搭載部１３には、図２および図６に示すように、黒鍵用の第２基板３３が黒鍵７ｂの前側（図６では左側）に向けて少し傾いた状態で起立して取り付けられている。この場合、第２基板搭載部１３は、第２基板３３が挿入する凹溝形状に形成され、その前側（図６では左側）の内面が後下り（図６では右下り）に傾斜し、後側（図６では右側）の内面にリブ部３６が設けられた構成になっている。このリブ部３６には、ビス３４がワッシャなどの押え板３５を介して取り付けられている。
【００３１】
これにより、第２基板搭載部１３は、図６に示すように、黒鍵用の第２基板３３が前側内面とリブ部３６との間に上方から挿入された状態で、リブ部３６にビス３４が押え板３５を介して取り付けられると、この押え板３５によって第２基板３３が前側内面に押し付けられることにより、この前側内面によって第２基板３３を前側に傾けた状態で、第２基板３３が固定されるように構成されている。
【００３２】
また、黒鍵用の第２基板３３も、第１基板２５と同様、黒鍵７ｂの配列方向に沿って細長く形成され、図示しない配線接続シートなどの接続部材によって楽器全体を制御するための回路基板と電気的に接続されている。この第２基板３３の上部には、第１基板２５と同様、各黒鍵７ｂの内部にそれぞれ非接触状態で挿入する複数の突起部３７が形成されている。この複数の突起部３７の上部前面（図６では左側面）には、各黒鍵７ｂの前側内部に光を照射する黒鍵用の発光素子３８がそれぞれ設けられている。
【００３３】
この場合、白鍵用の発光素子３２および黒鍵用の発光素子３８は、それぞれほぼ直方体のチップ形状に形成され、その一側面である上面のみから光を発光する側面発光ダイオードである。この発光素子３２、３８は、ほぼ直方体のチップ形状に形成されていることにより、図２および図３に示すように、その後面（図２では右側面）が第１、第２の各基板２５、３３にそれぞれ形成された各突起部３１、３７の各上部前面（図２では左側面）に密着して半田などで電気的に接続された状態で平面実装されている。
【００３４】
これにより、白鍵用の発光素子３２は、その一側面である上面から光を発すると、図２に示すように、その光が白鍵７ａの前側内部に照射され、この照射された光の一部が白鍵７ａを透過することにより、白鍵７ａの前部側を光らせるように構成されている。また、黒鍵用の発光素子３８は、白鍵用の発光素子３２と同様、その一側面である上面から光を発すると、図２に示すように、その光が黒鍵７ｂの前側内部に照射され、この照射された光の一部が黒鍵７ｂを透過することにより、黒鍵７ｂの前部側を光らせるように構成されている。
【００３５】
次に、白鍵用の発光素子３２を鍵盤シャーシ６に組み付ける場合について説明する。
この場合には、図４に示すように、まず、白鍵用の第１基板２５の複数の突起部３１にそれぞれ発光素子３２を取り付け、この第１基板２５を基板取付部材２４の取付部２８の前面に配置してビス３０によって取り付ける。この後、基板取付部材２４の固定部２７を鍵盤シャーシ６に基板取付部材２４をビス２６によって取り付ける。
【００３６】
このときには、図５に示すように、固定部２７を鍵盤シャーシ６に取り付けるビス２６の取付位置と、取付部２８に第１基板２５を取り付けるビス３０の取付位置とが、白鍵７ａの配列方向において位置がずれていることにより、取付部２８に第１基板２５を取り付けたビス３０が邪魔にならず、固定部２７を鍵盤シャーシ６に取り付けるビス２６を鍵盤シャーシ６の上方からドライバーなどの工具によって締め付けることができる。
【００３７】
これにより、図４に示すように、基板取付部材２４の取付部２８が鍵盤シャーシ６上に後方（図４では右側）に向けて所定角度（例えばほぼ８０度）、傾いて起立すると共に、第１基板２５が取付部２８と同様に鍵盤シャーシ６の後方（図４では右側）に向けて傾いた状態で起立して取り付けられる。
【００３８】
この状態で、鍵盤シャーシ６の鍵支持部１７に複数の鍵７を取り付ける。このときには、図２および図３に示すように、複数の白鍵７ａの各内部に、発光素子３２が設けられた第１基板２５の複数の突起部３１をそれぞれ非接触状態で相対的に挿入させる。これにより、第１基板２５の各突起部３１に設けられた発光素子３２がそれぞれ白鍵７ａの下側に対応して配置される。
【００３９】
次に、このような鍵盤楽器の作用について説明する。
この鍵盤楽器で演奏する場合には、その演奏に応じて各鍵７を押鍵する際に、その押鍵すべき鍵７に対応する発光素子３２、３８を順次発光させて、押鍵すべき鍵７を順次光らせることができる。例えば、押鍵する鍵７が複数の白鍵７ａのいずれかである場合には、その白鍵７ａに対応する発光素子３２を発光させると、その光が白鍵７ａの前側内部に照射され、この照射された光の一部が白鍵７ａを透過することにより、白鍵７ａの前部側を光らせることができる。
【００４０】
また、押鍵する鍵７が複数の黒鍵７ｂのいずれかである場合には、その黒鍵７ｂに対応する発光素子３８を発光させると、その光が黒鍵７ｂの前側内部に照射され、この照射された光の一部が黒鍵７ｂを透過することにより、黒鍵７ｂの前部側を光らせることができる。これにより、演奏に応じて押鍵すべき鍵７を順次光らせることができるので、演奏者が初心者であっても、良好に演奏することができる。
【００４１】
さらに、この鍵盤楽器では、演奏者が複数の鍵７を押鍵操作して演奏をする際に、その演奏に応じて押鍵された鍵７をこれに対応する発光素子３２、３８によって光らせることにより、どの鍵７が押鍵されているのかを演奏者が確認することができ、これにより演奏に応じて正しく鍵７が押鍵されているかを判断することができる。
【００４２】
ところで、このような鍵盤楽器では、製品の大きさや形状によって複数の鍵７の長さや形状が異なっているため、その製品の大きさや形状に応じて、取付部２８の傾き角度を、例えば、ほぼ８０度、ほぼ６０度、ほぼ９０度のいずれに設定することにより、白鍵７ａに対して発光素子３２が光を照射する光照射領域を最適化することができる。
【００４３】
すなわち、取付部２８の傾き角度がほぼ８０度の基板取付部材２４を用いた場合には、図８に示すように、基板取付部材２４の取付部２８の傾きに応じて第１基板２５をほぼ８０度の角度で傾けることにより、発光素子３２で発光した光を黒鍵７ｂよりも前側（図８では左側）に位置する白鍵７ａのほぼ中間部付近の箇所に照射させることができる。
【００４４】
また、取付部２８の傾き角度がほぼ６０度の基板取付部材２４を用いた場合には、図９に示すように、基板取付部材２４の取付部２８の傾きに応じて第１基板２５をほぼ６０度の角度で傾けることにより、発光素子３２で発光した光を黒鍵７ｂよりも前側（図９では左側）に位置する白鍵７ａのほぼ後部側付近（図９では右側付近）の箇所に照射させることができる。
【００４５】
さらに、取付部２８の傾き角度がほぼ９０度の基板取付部材２４を用いた場合には、図１０に示すように、基板取付部材２４の取付部２８の傾きに応じて第１基板２５をほぼ９０度の角度で傾けることにより、発光素子３２で発光した光を黒鍵７ｂよりも前側（図１０では左側）に位置する白鍵７ａのほぼ前部側付近（図１０では左側付近）の箇所に照射させることができる。
【００４６】
このように、この鍵盤楽器によれば、鍵盤シャーシ６に複数の発光素子３２を組み付ける際に、複数の発光素子３２を白鍵用の第１基板２５の各突起部３１に取り付け、この第１基板２５を基板取付部材２４の取付部２８にビス３０によって取り付け、この基板取付部材２４の固定部２７を鍵盤シャーシ６にビス２６によって取り付けることにより、第１基板２５を鍵盤シャーシ６に対して起立させた状態で簡単に且つ容易に取り付けることができると共に、この基板取付部材２４によって第１基板２５を鍵盤シャーシ６に対して確実に且つ強固に固定することができる。
【００４７】
この場合、第１基板２５を鍵盤シャーシ６に対して起立させた状態で取り付けることにより、複数の発光素子３２を第１基板２５にそれぞれ起立させて設けなくても、発光素子３２を鍵盤シャーシ６に対して起立させて設けることができる。すなわち、複数の発光素子３２を第１基板２５に起立させずに設けることができることにより、各発光素子３２の倒れを防ぐための保持部材を用いずに、各発光素子３２を安定した状態で第１基板２５の各突起部３１に確実に固定することができる。
【００４８】
また、鍵盤シャーシ６に光透過性を有する複数の白鍵７ａを上下方向に回転可能に取り付ける際に、複数の白鍵７ａの各内部に第１基板２５の複数の突起部３１をそれぞれ非接触状態で挿入させることにより、複数の発光素子３２を各白鍵７ａの下側に正確に且つ良好に対応させて配置することができる。これにより、第１基板２５およびその各突起部３１によって各発光素子３２で発光した光が隣接する白鍵７ａに漏れるのを抑制することができ、これにより押鍵すべき白鍵７ａのみを良好に光らせることができる。
【００４９】
この場合、基板取付部材２４は、その取付部２８が所定角度に傾いて起立しているので、この取付部２８によって第１基板２５を鍵盤シャーシ６に対して傾けて取り付けることができる。このため、取付部２８の傾き角度に応じて白鍵７ａに対する発光素子３２の光照射領域を選択することができると共に、取付部２８の傾き角度に応じて白鍵７ａに対する発光素子３２の光照射領域を最適化することができるほか、基板取付部材２４を鍵盤シャーシ６に取り付けるための第１基板搭載部１１の設置箇所が限定されず、第１基板搭載部１１の設置箇所の自由度を高めることができる。
【００５０】
このように、この鍵盤楽器では、簡単な構造で、組立て作業が容易にできるので、生産性が高く、量産化を図ることができるほか、白鍵７ａの内部に挿入する第１基板２５の突起部３１によって発光素子３２を安定した状態で確実に且つ強固に固定することができ、これにより落下などの衝撃を受けても、発光素子３２を搭載した第１基板２５の脱落を防ぐことができるので、耐衝撃性の高いものを得ることができる。また、第１基板２５の突起部３１によって発光素子３２を白鍵７ａの下側に正確に且つ良好に配置させることができると共に、発光素子３２で発光した光が隣接する白鍵７ａに漏れるのを抑制することができる。
【００５１】
この場合、発光素子３２は、ほぼ直方体のチップ形状に形成され、その一側面である上面から光を発光する側面発光ダイオードであるから、その一側面である上面を上に向けた状態で、その後面（図２では右側面）を平面実装により第１基板２５に設けられた突起部３１の上部前面（図２では左側面）に密着させて半田などで電気的に接続した状態で確実に固定することができる。
【００５２】
このため、発光素子３２を第１基板２５の各突起部３１に安定させた状態で確実に取り付けることができるほか、この発光素子３２が第１基板２５の各突起部３５の上部前面に取り付けられていることにより、各発光素子３２が光を発すると、その光を白鍵７ａの前側内部に確実に照射することができるので、発光した光が隣接する白鍵７ａに漏れるのを突起部３１によって抑制して白鍵７ａの前部側を良好に光らせることができる。
【００５３】
（実施形態２）
次に、図１１および図１２を参照して、この発明を適用した鍵盤楽器の実施形態２について説明する。なお、図１〜図１０に示された実施形態１と同一部分には同一符号を付して説明する。
この鍵盤楽器は、白鍵７ａに対応する第１基板２５を鍵盤シャーシ６の第１基板搭載部１１に取り付けるための基板取付部材４０が実施形態１と異なる構成であり、これ以外は実施形態１と同じ構成になっている。
【００５４】
すなわち、この基板取付部材４０は、図１１に示すように、鍵盤シャーシ６に対する白鍵用の第１基板２５の傾き角度が調整可能に構成されている。この場合、基板取付部材４０は、アルミニウムなどの金属からなり、図１１に示すように、鍵盤シャーシ６上にビス２６によって取り付けられる固定部４１と、白鍵７ａの下側に向けて起立する取付部４２と、この取付部４２を固定部４１の一端部に屈曲可能に連結固定する連結部４３とを備え、これらが一体に形成されている。
【００５５】
固定部４１および取付部４２は、実施形態１と同様、白鍵７ａの配列方向に沿って細長く形成されており、取付部４２の前面（図１１では左側面）には、第１基板２５がビス３０によって取り付けられている。このビス３０も、実施形態１と同様、固定部４１を固定するビス２６に対して白鍵７ａの配列方向に位置がずれている。また、連結部４３は、図１１に示すように、肉厚が薄い薄肉部に形成され、任意の角度に屈曲するように構成されている。
【００５６】
これにより、基板取付部材４０は、図１１に示すように、連結部４３が屈曲することによって、取付部４２が固定部４１に対して任意の角度で傾くように構成されている。また、この基板取付部材４０は、固定部４１に対する取付部４２の傾き角度を規制して保持するための複数の角度規制部材４４を備えている。
【００５７】
この角度規制部材４４は、アルミニウムやステンレスなどの金属または硬質の合成樹脂などからなり、図１１に示すように、固定部４１上にビス２６によって固定される固定片４４ａと、取付部４２の傾きを規制する規制片４４ｂとを備え、これらが一体に形成されている。この角度規制部材４４は、図１２に示すように、基板取付部材４０の両端部（図１２では右側の端部のみを示す。）に設けられている。
【００５８】
また、この角度規制部材４４は、製品の大きさや形状によって複数の鍵７の長さや形状が異なっているため、その製品の大きさや形状に応じて、取付部４２の傾き角度を規制することにより、白鍵７ａに対する発光素子３２の光照射領域を最適化するように、複数の種類が用意されている。すなわち、この角度規制部材４４は、規制片４４ｂの傾き角度が、ほぼ８０度、ほぼ６０度、ほぼ９０度の３種類があり、図８〜図１０に示した実施形態１と同様、白鍵７ａに対する発光素子３２の光照射領域を選択することができるように構成されている。
【００５９】
例えば、規制片４４ｂの傾き角度がほぼ８０度の角度規制部材４４は、基板取付部材４０の取付部４２の傾きをほぼ８０度に規制して第１基板２５をほぼ８０度の角度で傾けることにより、図８に示したように、発光素子３２で発光した光を黒鍵７ｂよりも前側（図８では左側）に位置する白鍵７ａのほぼ中間部付近の箇所に照射させるように構成されている。
【００６０】
また、規制片４４ｂの傾き角度がほぼ６０度の角度規制部材４４は、基板取付部材４０の取付部４２の傾きをほぼ６０度に規制して第１基板２５をほぼ６０度の角度で傾けることにより、図９に示したように、発光素子３２で発光した光を黒鍵７ｂよりも前側（図９１では左側）に位置する白鍵７ａのほぼ後部側付近（図９では右側付近）の箇所に照射させるように構成されている。
【００６１】
さらに、規制片４４ｂの傾き角度がほぼ９０度の角度規制部材４４は、基板取付部材４０の取付部４２の傾きをほぼ９０度に規制して第１基板２５をほぼ９０度の角度で傾けることにより、図１０に示したように、発光素子３２で発光した光を黒鍵７ｂよりも前側（図１０では左側）に位置する白鍵７ａのほぼ前部側付近（図１０では左側付近）の箇所に照射させるように構成されている。
【００６２】
このような鍵盤楽器によれば、実施形態１と同様の作用効果があるほか、基板取付部材４０の連結部４３が固定部４１に対する取付部４２の傾き角度を調整可能に形成されているので、この連結部４３によって取付部４２の傾き角度を調整して取付部４２に取り付けられる第１基板２５の傾き角度を調整することができ、これにより第１基板２５に取り付けられた発光素子３２が光を白鍵７ａに照射する光照射領域を最適な状態に調節することができる。
【００６３】
この場合、基板取付部材４０の固定部４１に対する取付部４２の角度を規制する複数種類の角度規制部材４４を備えているので、この複数種類の角度規制部材４４によって取付部４２の傾きを所定角度に確実に規制することができ、これにより第１基板２５の傾き角度を安定させて固定することができる。
【００６４】
すなわち、この複数種類の各角度規制部材４４は、それぞれ固定部４１上にビス２６によって固定される固定片４４ａと、取付部４２の傾きを規制する規制片４４ｂとを備え、基板取付部材４０の取付部４２の傾きに応じて規制片４４ｂの傾き角度がそれぞれ異なっている。例えば、この複数の角度規制部材４４は、規制片４４ｂの傾き角度が、ほぼ８０度、ほぼ６０度、ほぼ９０度の３種類があり、図８〜図１０に示した実施形態１と同様、白鍵７ａに対して発光素子３２が光を照射する光照射領域に応じて選択することができる。
【００６５】
例えば、規制片４４ｂの傾き角度がほぼ８０度の角度規制部材４４は、基板取付部材４０の取付部４２の傾きをほぼ８０度に規制して第１基板２５をほぼ８０度の角度で傾けることにより、図８に示したように、発光素子３２で発光した光を黒鍵７ｂよりも前側（図８では左側）に位置する白鍵７ａのほぼ中間部付近の箇所に照射させることができる。
【００６６】
また、規制片４４ｂの傾き角度がほぼ６０度の角度規制部材４４は、基板取付部材４０の取付部４２の傾きをほぼ６０度に規制して第１基板２５をほぼ６０度の角度で傾けることにより、図９に示したように、発光素子３２で発光した光を黒鍵７ｂよりも前側（図９では左側）に位置する白鍵７ａのほぼ後部側付近（図９では右側付近）の箇所に照射させることができる。
【００６７】
さらに、規制片４４ｂの傾き角度がほぼ９０度の角度規制部材４４は、基板取付部材４０の取付部４２の傾きをほぼ９０度に規制して第１基板２５をほぼ９０度の角度で傾けることにより、図１０に示したように、発光素子３２で発光した光を黒鍵７ｂよりも前側（図１０では左側）に位置する白鍵７ａのほぼ前部側付近（図１０では左側付近）の箇所に照射させることができる。
【００６８】
なお、上述した実施形態１、２では、第１、第２の各基板２５、３３に設けられた各突起部３１、３７にそれぞれ発光素子３２、３８を１つずつ設けた場合について述べたが、これに限らず、１つの突起部３１、３７に複数の発光素子３２、３８を設けた構成でも良い。この場合には、１つの突起部３１、３７に設けられた複数の発光素子３２、３７をそれぞれ異なる色、例えば赤色、青色、黄色などの異なる色で発光させるようにすれば、演奏者の好みに応じた色で鍵７を光らせることができる。
【００６９】
また、上述した実施形態１、２では、鍵７のうち、白鍵７ａの後端部に屈曲部１９を介して共通連結部１８を設け、黒鍵７ｂの後端部に屈曲部２１を介して共通連結部２０を設け、白鍵７ａの共通連結部１８を黒鍵７ｂの共通連結部２０を重ね合わせて鍵盤シャーシ６の鍵支持部１７上に取り付けるように構成した場合について述べたが、これに限らず、鍵盤シャーシ６の鍵支持部１７上に支持軸を設け、この支持軸に複数の白鍵７ａおよび複数の黒鍵盤７ｂの各後端部をそれぞれ回転可能に取り付けることにより、各鍵７がそれぞれ独立して上下方向に回転するように構成した鍵盤装置にも適用することができる。
【符号の説明】
【００７０】
１  楽器本体
２  鍵盤部
６  鍵盤シャーシ
７  鍵
７ａ  白鍵
７ｂ  黒鍵
１１、１３  第１、第２の各基板搭載部
１７  鍵支持部
１８、２０  共通連結部
１９、２１  屈曲部
２４、４０  基板取付部材
２５、３３  第１、第２の各基板
２６、３０  ビス
２７、４１  固定部
２８、４２  取付部
２９、４３  連結部
３１、３７  突起部
３２、３８  発光素子
４４  角度規制部材
４４ａ  固定片
４４ｂ  取付片
【図１】
2011128506.tif 000003
【図２】
2011128506.tif 000004
【図３】
2011128506.tif 000005
【図４】
2011128506.tif 000006
【図５】
2011128506.tif 000007
【図６】
2011128506.tif 000008
【図７】
2011128506.tif 000009
【図８】
2011128506.tif 000010
【図９】
2011128506.tif 000011
【図１０】
2011128506.tif 000012
【図１１】
2011128506.tif 000013
【図１２】
2011128506.tif 000014